(57)【要約】【目的】写真装飾構造において、写真装飾体の全体的な厚さを小さくし、額縁に容易に入れさせるとともに、製作が簡単で、製作工数を低減し、また、押し花が潰れるのを回避して押し花の立体感を醸し出し、美感を向上し、また、写真の被写体の大小に関係なくして、額縁内の写真の被写体をバランス良く飾ることができ、よって、スピードが要求される市場でも、ニーズに迅速に応えさせることにある。【構成】額縁に入れる写真装飾体は、表側透明板と裏側透明板とを備えるとともにこの表側透明板と裏側透明板間で且つ写真の被写体の周りで押し花を挟んで構成され、この押し花によって写真の被写体の周りを飾る。【選択図】　　　　図１
2004098497.tif 000002
【特許請求の範囲】
【請求項１】
額縁の回り縁に写真装飾体と写真とを重ね合わせて設け、前記写真装飾体は、表側透明板と裏側透明板とを備えるとともにこの表側透明板と裏側透明板間で且つ前記写真の被写体の周りで押し花を挟んで構成され、この押し花によって前記写真の被写体の周りを飾ることを特徴とする写真装飾構造。
【請求項２】
前記表側透明板と裏側透明板とは、透明な板状体からなり、重ね合わされたことを特徴とする請求項１に記載の写真装飾構造。
【請求項３】
前記写真装飾体は、異なる種類の押し花によって複数構成され、これら複数の写真装飾体が重ね合わされたことを特徴とする請求項１に記載の写真装飾構造。
【発明の詳細な説明】
【０００１】
【発明の属する技術分野】
この発明は、写真装飾構造に係り、特に額縁に入れた写真の被写体の周りを飾る写真装飾構造に関する。
【０００２】
【従来の技術】
写真等を飾るためには、一般的に、額縁が利用されている。この額縁は、回り縁に写真やマット等を重ね合わせ、この写真やマット等をガラスと裏板とで挟んでいる。
【０００３】
【発明が解決しようとする課題】
ところが、額縁において、写真の被写体を押し花で飾りたい場合に、押し花を写真と共にガラスとマットとで挟むとともに、このガラスとマットとの間に乾燥剤を入れ、さらに、ガラス及びマットの縁をテープで密封していたので、全体的な厚さが大きくなり、額縁に入れることが困難となり、しかも、製作が面倒で、製作工数も増加するという不都合があった。
【０００４】
また、押し花をラミネートパック方式で密封する場合には、押し花が潰れて立体感を出すことができないという不都合があった。
【０００５】
更に、マット窓を備えたマットを使用する場合には、写真の被写体の大小に影響を受け、バランスをとるのが難しくなり、写真の被写体をバランス良く飾るのが困難になるという不都合があった。
【０００６】
このため、スピードが要求される市場、例えば、葬祭市場においては、遺影の額縁を製作する場合に、ニーズに応えることが困難となり、改善が望まれていた。
【０００７】
【課題を解決するための手段】
そこで、この発明は、上述不都合を除去するために、額縁の回り縁に写真装飾体と写真とを重ね合わせて設け、この写真装飾体は、表側透明板と裏側透明板とを備えるとともにこの表側透明板と裏側透明板間で且つ前記写真の被写体の周りで押し花を挟んで構成され、この押し花によって前記写真の被写体の周りを飾ることを特徴とする。
【０００８】
【発明の実施の形態】
この発明は、写真装飾体が、押し花を挟む表側透明板と裏側透明板とを用いて構成されることから、全体的な厚さが小さくなり、額縁に容易に入れることができるとともに、製作が簡単で、製作工数を低減し、また、押し花が潰れるのを回避して押し花の立体感を醸し出し、美感を向上し、また、写真の被写体の大小に関係なくして、額縁内の写真の被写体をバランス良く飾ることができ、よって、スピードが要求される市場でも、ニーズに迅速に応えることができる。
【０００９】
【実施例】
以下図面に基づいてこの発明の実施例を詳細且つ具体的に説明する。図１〜図５は、この発明の第１実施例を示すものである。図１、２において、２は額縁である。この額縁２は、回り縁４と、この回り縁４に重ね合わせて設けられる写真装飾体６と裏板８とを備えるとともに、写真装飾体６と裏板８間で写真１０を挟み、裏板８を回り縁４の裏面４Ｂに設けられた締め具１２で保持している。写真１０は、例えば、葬祭用の遺影である。
【００１０】
回り縁４は、例えば、四角形状であり、上側縁１４と下側縁１６と一側縁１８と他側縁２０とからなる。この回り縁４には、例えば、表面４Ｆ側に縦長Ａ１・横長Ｂ１・深さＣ１の所定の四角形状の透過孔２２が形成されるとともに、裏面４Ｂ側に前記縦長Ａ１よりも所定に大きな縦長Ａ２・前記横長Ｂ１よりも所定に大きな横長Ｂ２・前記深さＣ１よりも所定に大きな深さＣ２の四角形状の収納枠溝２４が形成され、これにより、透過孔２２の周りで表面４Ｆ側には上側枠２６と下側枠２８と一側枠３０と他側枠３２とからなる表側支持枠部３４が形成される。
【００１１】
写真装飾体６は、収納枠溝２４に収納されるものであり、図３に示す如く、表側透明板３６と裏側透明板３８とを備えるとともに、この表側透明板３６と裏側透明板３８間で且つ写真１０の被写体の周りで押し花４０を挟んで構成され、この押し花４０によって写真１０の被写体の周りを飾るものである。
【００１２】
表側透明板３６と裏側透明板３８とは、透明な板状体、例えば、透明なプラスチックのＰＥＴ（ポリエチレンテレフタラート：Ｐｏｌｙ　ｅｔｈｙｌｅｎｅ　ｔｅｒｅｐｈｔｈａｌａｔｅ）材からなり、重ね合わされると、その性質による静電気作用によって密着性が強くなって一体的になり、内部の押し花４０の立体感を出しながら、内部が密封され、押し花４０の変色を抑えつつ押し花４０を長持ちさせることができるものである。従って、この内部の密封性が保たれるので、防湿剤や防虫剤を用いる必要がなくなるものである。
【００１３】
この写真装飾体６にあっては、表側透明板３６が従来のガラスの機能を果たすものであり、少なくともこの表側透明板３６がある程度の硬さを有している。また、押し花４０は、図３、４に示す如く、表側押し花４０Ｍと裏側押し花４０Ｎとが部分的に重ね合わされ、また、中心部位が粘着手段（図示せず）によって裏側透明板３８の表側面３８Ｆの各固着部４２−１〜４２−ｎに夫々粘着される。
【００１４】
また、この写真装飾体６において、図５に示す如く、表側透明板３６の表側面３６Ｆには、各押し花４０の形状に沿って所定のエンボス加工部４４が施かされ、このエンボス加工部４４の凹凸によって立体感が出される。
【００１５】
また、表側透明板３６と裏側透明板３８との間には、押し花４０を長期間美しく維持するために、防湿剤や防虫剤を入れることも可能である。
【００１６】
次に、この第１実施例の作用を説明する。
【００１７】
額縁２の組み立てにあっては、先ず、図３に示す如く、表側透明板３６と裏側透明板３８間に所望箇所で複数の押し花４０を写真１０の被写体の周りで挟み、そして、押し花４０を挟んだ表側透明板３６と裏側透明板３８とを重ね合わせて一体的とし、写真装飾体６を構成する。そして、この写真装飾体６において、表側透明板３６の表側面３６Ｆに各押し花４０の形状に沿ってエンボス加工部４４を施す。
【００１８】
そして、回り縁４の収納枠溝２４には、表側透明板３６の表側面３６Ｆが表側になるように、先ず、写真装飾体６を入れ、また、写真装飾体６の裏側に写真１０を重ね、そして、この写真１０の裏側に裏板８を重ね、この裏板８を締め具１２で保持する。
【００１９】
これにより、額縁２の透過孔２２からは、中央部位に透明な表側透明板３６と裏側透明板３８とを経て写真１０の被写体が見えるとともに、この写真１０の被写体の周りには透明な表側透明板３６を経て各押し花４０が見える。
【００２０】
この結果、額縁２において、写真装飾体６が、押し花４０を挟む表側透明板３６と裏側透明板３８とを用いて構成されることから、全体的な厚さが小さくなり、額縁２に容易に入れることができるとともに、製作が簡単で、製作工数を低減し、また、押し花４０が潰れるのを回避して押し花４０の立体感を醸し出し、美感を向上し、また、写真１０の被写体の大小に関係なくして、額縁２内の写真１０の被写体をバランス良く飾ることができ、よって、スピードが要求される葬祭市場でも、素早く製作して、ニーズに迅速に応えることができる。また、異なる種類の押し花１０によって複数の写真装飾体６を準備しておくことで、所望の押し花４０に応じた写真装飾体６によって写真１０の被写体の周りを飾ることができ、ニーズに応じた押し花４０の写真装飾体６の交換を、簡便に行わせることができる。
【００２１】
また、表側透明板３６と裏側透明板３８とは、透明な板状体としてＰＥＴ材からなり、重ね合わされることから、このＰＥＴ材の性質による静電気作用によって密着性が強くなって一体的になり、内部の押し花４０の立体感を出しながら、内部を簡単に密封し、また、全体的な厚さを小さくし、更に、押し花４０の変色を抑えつつ押し花４０を長持ちさせることができ、しかも、廉価に製作することができる。
【００２２】
更に、写真装飾体６において、図５に示す如く、表側透明板３６の表側面３６Ｆには、各押し花４０の形状に沿って所定のエンボス加工部４４を施こしたことにより、このエンボス加工部４４の凹凸によって押し花４０の立体感を醸し出すことができる。
【００２３】
図６は、この発明の第２実施例を示すものである。
【００２４】
以下の実施例においては、上述の第１実施例と同一機能を果たす箇所には同一符号を付して説明する。
【００２５】
この第２実施例の特徴とするところは、以下の点にある。即ち、異なる種類の押し花４０の写真装飾体６を複数（６−１〜６−ｎ）準備し、例えば、一枚目の第１写真装飾体６−１には、下側部位Ｇ１で押し花４０−１を設け、二枚目の第２写真装飾体６−２には、中間部位Ｇ２で押し花４０−２を設け、これら第１写真装飾体６−１と第２写真装飾体６−２とを重ね合わせることで、各押し花４０−１、４０−２によって写真１０の被写体の周りを飾る。
【００２６】
この第２実施例の構成によれば、複数の写真装飾体６−１〜６−ｎを裏側に順次に重ね合わせることにより、各写真装飾体６において各押し花４０が前後に配置され、複数の押し花４０に遠近感を出すことができ、さらに強い立体感を醸し出して美感を向上し、また、所望によって各写真装飾体６を入れ替えることで、写真１０の被写体の周りを飾る押し花４０の種類・位置を容易に変更することができ、ニーズに対して容易に対処することができる。
【００２７】
図７は、この発明の第３実施例を示すものである。
【００２８】
この第３実施例の特徴とするところは、以下の点にある。即ち、写真装飾体６には、写真１０の被写体の部位に孔部５２を設けた。この孔部５２は、例えば、四角形状であるが、楕円形状等の他の形状に形成することも可能である。
【００２９】
この第３実施例の構成によれば、写真装飾体６の写真１０の被写体の部位に孔部５２が存在することから、この被写体を直接現すことができる。
【００３０】
図８は、この発明の第４実施例を示すものである。
【００３１】
この第４実施例の特徴とするところは、以下の点にある。即ち、写真装飾体６は、表側透明板３６の一側部３６Ｅと裏側透明板３８の一側部３８Ｅとが連結材６２によって連結され、他側から開閉可能に構成されている。
【００３２】
この第４実施例の構成によれば、写真装飾体６において、表側透明板３６の一側部３６Ｅと裏側透明板３８の一側部３８Ｅとが連結材６２で開閉可能であることから、他側から異なる種類の押し花４０を容易に交換することができ、しかも、繰り返し使用が可能である。
【００３３】
図９は、この発明の第５実施例を示すものである。
【００３４】
この第５実施例の特徴とするところは、以下の点にある。即ち、写真装飾体６において、表側透明板３６と裏側透明板３８との間には、押し花４０と共に、写真１０を設けた。
【００３５】
この第５実施例の構成によれば、写真１０と押し花４０とが同一平面内に配置されたことから、写真１０の被写体を押し花４０によって効果的に引き立てさせることができ、美感を向上することができる。
【００３６】
図１０は、この発明の第６実施例を示すものである。
【００３７】
この第６実施例の特徴とするところは、以下の点にある。即ち、写真装飾体６の裏側透明板３８の裏側面３８Ｂには上部位に可撓性の固定支持部７２を固着するとともに、この固定支持部７２にポケット状の写真封入物７４を連結して設けた。
【００３８】
この第６実施例の構成によれば、写真封入物７４の中に写真１０を入れることで、写真１０を写真装飾体６と一体的に取り扱うことができ、その取り扱いを容易とすることができる。
【００３９】
図１１は、この発明の第７実施例を示すものである。
【００４０】
この第７実施例の特徴とするところは、以下の点にある。即ち、写真装飾体６において、透明板８２を複数（例えば８２−１〜８２−４）準備し、第１透明板８２−１と第２透明板８２−２間に下側部位Ｇ１の押し花４０−１を設け、第２透明板８２−２と第３透明板８２−３間に中間部位Ｇ２の押し花４０−２を設け、そして、第３透明板８２−３と第４透明板８２−４間に上側部位Ｇ３の押し花４０−３を設けた。
【００４１】
この第７実施例の構成によれば、高さ位置が異なる各押し花４０を各透明板８２で挟んで写真装飾体６を構成したことから、一の写真装飾体６において各押し花４０の立体感を醸し出すことができ、美感を向上することができる。
【００４２】
図１２は、この発明の第８実施例を示すものである。
【００４３】
この第８実施例の特徴とするところは、以下の点にある。即ち、写真装飾体６には、裏側からねじ具９２を埋込むとともに、このねじ具９２に対応させて裏板８にはボルト孔９４を形成し、裏側からボルト９６をねじ具９２に螺着して設け、写真立て９８を構成した。
【００４４】
この第８実施例の構成によれば、写真装飾体６と写真１０と裏板８とをボルト９６で一体的にすることができ、回り縁を不要とした写真立て９８を簡単に構成することができる。
【００４５】
図１３、１４は、この発明の第９実施例を示すものである。
【００４６】
この第９実施例の特徴とするところは、以下の点にある。即ち、額縁２には、収納枠溝２４に入る縦長Ａ３・横長Ｂ３のガラス１０２を使用し、このガラス１０２の縦長Ａ３・横長Ｂ３よりも小さな縦長Ａ４・横長Ｂ４の写真１０をガラス１０２の裏側で且つ上側に重ねて設け、この写真１０の裏側に押し花４０で該写真１０の被写体を飾るように写真装飾体６を重ねて設けた。
【００４７】
この第９実施例の構成によれば、小形の写真１０の場合に、写真１０を写真装飾体６よりも表側に配置して写真１０の被写体を引き立てるとともに、ガラス１０２を利用した場合にでも、容易に対処させることができる。
【００４８】
図１５は、この発明の第１０実施例を示すものである。
【００４９】
この第１０実施例の特徴とするところは、以下の点にある。即ち、写真装飾体６において、例えば、第１押し花４０Ａを有する第１写真装飾体６−１と第２押し花４０Ｂを有する第２写真装飾体６−２とを準備し、この第１写真装飾体６−１と第２写真装飾体６−２間に小形の写真１０を設けた。
【００５０】
この第１０実施例の構成によれば、写真１０を表側の第１押し花４０Ａを有する第１写真装飾体６−１と裏側の第２押し花４０Ｂを有する第２写真装飾体６−２とで挟むことから、写真１０が押し花４０Ａと押し花４０Ｂとで挟まれる形になり、写真１０にはさらに立体感を醸し出し、美感を向上することができる。
【００５１】
図１６は、この発明の第１１実施例を示すものである。
【００５２】
この第１１実施例の特徴とするところは、以下の点にある。即ち、写真装飾体６においては、透明板１１２を複数（例えば第１〜４透明板１１２−１〜１１２−４）準備し、第１透明板１１２−１の一側部１１２−１Ａと第２透明板１１２−２の一側部１１２−２Ａとを第１連結部１１４−１で連結するとともに、第２透明板１１２−２の他側部１１２−２Ｂと第３透明板１１２−３の他側部１１２−３Ｂとを第２連結部１１４−２で連結し、また、第３透明板１１２−３の一側部１１２−３Ａと第４透明板１１２−４の一側部１１２−４Ａとを第３連結部１１４−３で連結することで、第１透明板１１２−１と第２透明板１１２−２間に第１板空間１１６−１を形成するとともに、第２透明板１１２−２と第３透明板１１２−３間に第２板空間１１６−２を形成し、また、第３透明板１１２−３と第４透明板１１２−４間に第３板空間１１６−３を形成する。
【００５３】
この第１１実施例の構成によれば、写真装飾体６において、第１〜３板空間１１６−１〜１１６−３に各押し花４０−１〜４０−３を夫々挟持させることにより、各種の押し花４０が重なった構造を容易に得るとともに、好みの押し花４０を容易に差し替えることができ、ニーズに容易に対処することができる。
【００５４】
なお、この発明においては、写真装飾体を、遺影に限らず、他の写真・作品等に使用が可能である。また、写真装飾体に、メッセージや花言葉が記載されたものを入れることも可能である。更に、写真装飾体の押し花を四季によって変更することも可能である。また、押し花を挟む表側透明板に紫外線防止剤を塗布して、押し花の退色を防止することも可能である。更に、写真装飾体には、湿気を吸って成長するような造花を入れたり、湿気を吸って色が鮮やかに変化する花・葉・茎等を入れ、これにより、湿気取りを行わせたり、時間の経過の変化を楽しくさせることも可能である。
【００５５】
【発明の効果】
以上詳細な説明から明らかなようにこの発明によれば、写真装飾体は、表側透明板と裏側透明板とを備えるとともにこの表側透明板と裏側透明板間で且つ写真の被写体の周りで押し花を挟んで構成され、この押し花によって写真の被写体の周りを飾ることにより、写真装飾体の全体的な厚さが小さくなり、額縁に容易に入れることができるとともに、製作が簡単で、製作工数を低減し、また、押し花が潰れるのを回避して押し花の立体感を醸し出し、美感を向上し、また、写真の被写体の大小に関係なくして、額縁内の写真の被写体をバランス良く飾ることができ、よって、スピードが要求される市場でも、ニーズに迅速に応えることができる。
【図面の簡単な説明】
【図１】第１実施例における額縁の組み立て斜視図である。
【図２】第１実施例における額縁の断面図である。
【図３】第１実施例における写真装飾体の組み立て斜視図である。
【図４】第１実施例における写真装飾体の一部正面図である。
【図５】第１実施例における写真装飾体の断面図である。
【図６】第２実施例における写真装飾体の組み立て斜視図である。
【図７】第３実施例における写真装飾体の斜視図である。
【図８】第４実施例における写真装飾体の斜視図である。
【図９】第５実施例における写真装飾体の組み立て斜視図である。
【図１０】第６実施例における写真装飾体の裏側からの斜視図である。
【図１１】第７実施例における写真装飾体の組み立て斜視図である。
【図１２】第８実施例における額縁を使用しない写真立ての一部断面図である。
【図１３】第９実施例における額縁の組み立て斜視図である。
【図１４】第９実施例における額縁の組み立て断面図である。
【図１５】第１０実施例における写真装飾体の組み立て斜視図である。
【図１６】第１１実施例における写真装飾体の斜視図である。
【符号の説明】
２　額縁
４　回り縁
６　写真装飾体
８　裏板
１０　写真
２２　透過孔
２４　収納枠溝
４０　押し花
４４　エンボス加工部
【図１】
2004098497.tif 000003
【図２】
2004098497.tif 000004
【図３】
2004098497.tif 000005
【図４】
2004098497.tif 000006
【図５】
2004098497.tif 000007
【図６】
2004098497.tif 000008
【図７】
2004098497.tif 000009
【図８】
2004098497.tif 000010
【図９】
2004098497.tif 000011
【図１０】
2004098497.tif 000012
【図１１】
2004098497.tif 000013
【図１２】
2004098497.tif 000014
【図１３】
2004098497.tif 000015
【図１４】
2004098497.tif 000016
【図１５】
2004098497.tif 000017
【図１６】
2004098497.tif 000018